(57)【特許請求の範囲】
【請求項１】
分散剤を含有する原水を凝集沈殿により処理する分散剤含有水の処理方法であって、
前記分散剤は、カルボキシル基を有する少なくとも一つの構成単位を含み、
前記原水のｐＨが４〜５の範囲であり、
前記原水に無機凝結剤、有機凝結剤および高分子凝集剤を添加することを特徴とする分散剤含有水の処理方法。
【請求項２】
請求項１に記載の分散剤含有水の処理方法であって、
前記有機凝結剤が、縮合系ポリアミンおよびポリジアルキルジアリルアンモニウム塩のうち少なくとも１つであることを特徴とする分散剤含有水の処理方法。
【請求項３】
請求項１または２に記載の分散剤含有水の処理方法であって、
前記原水に凝集助剤として粘土鉱物を添加することを特徴とする分散剤含有水の処理方法。
【発明の詳細な説明】
【技術分野】
【０００１】
本発明は、硬度スケールの防止や懸濁粒子の分散などの用途で使用される分散剤を含有する原水を凝集沈殿により処理する分散剤含有水の処理方法に関する。
【背景技術】
【０００２】
排水に含まれる汚濁物質を除去するための処理方法として、排水にポリ塩化アルミニウム（ＰＡＣ）などの無機凝結剤と高分子凝集剤とを注入して凝集フロックを形成させ、この凝集フロックを沈降分離させる凝集沈殿法が一般的に用いられている。
【０００３】
一方、工場から排出される排水には、懸濁粒子の安定化や、硬度スケール防止などの目的で使用される分散剤を含有する場合が少なくない。これら分散剤は一般的にアニオン電荷を有しており、懸濁粒子に吸着して粒子どうしが互いに反発しあうように作用したり、カルシウムなどの陽イオンを封鎖して析出を抑制することによりスケール化を防止したりする。
【０００４】
このような分散剤を含有する排水を凝集沈殿法により処理しようとする場合、分散剤により凝集フロックの形成が阻害され、処理水質が悪化してしまう場合が多い。これは、注入した無機凝結剤がカチオン性であるため、アニオン性の分散剤と反応して消費され、無機凝結剤の注入量が不十分となるためである。
【０００５】
このような分散剤含有排水を処理するには、無機凝結剤を分散剤との反応分だけ過剰に注入すればよい。ところが、このような方法では、無機凝結剤の添加量が多大になってしまうため、発生汚泥量が大幅に増加してしまう。
【０００６】
また、別の方法として、無機凝結剤と共にカルシウム塩を添加する方法がある。この方法では、分散剤をカルシウムイオンと反応させて分散剤のアニオン基を封鎖することにより、凝集フロック形成への影響を低減することができる。カルシウム塩には、消石灰、塩化カルシウムなどが挙げられる。ところが、消石灰は水に対する溶解度が低いため、通常はスラリ状で扱われ、そのためポンプや配管などの閉塞を起こしやすく、取扱いが煩雑である点が問題である。また、カルシウム塩と分散剤との反応は化学量論的であるため、排水中の分散剤量が多いほどカルシウム塩の添加量も多くなり、発生汚泥量が大幅に増加してしまうという問題がある。
【０００７】
さらに、無機凝結剤の使用量を低減させるために、例えば特許文献１にはポリジアリルジメチルアンモニウムクロライドなどの有機凝結剤を無機凝結剤と併用することが記載されている。また、特許文献２には、浄水用の原水にポリアミンなどの有機凝結剤または無機凝結剤と有機凝結剤とを添加、混合した後、高分子凝集剤を添加、混合する処理方法が記載されている。
【０００８】
【特許文献１】特公平７−４１２４７号公報
【特許文献２】特許第４００４０１６号公報
【発明の開示】
【発明が解決しようとする課題】
【０００９】
しかしながら、分散剤を含有する排水に対しては、上記のような有機凝結剤を無機凝結剤と併用しても、なお発生する汚泥の量が多く、経済的負担や環境負荷がかかるという問題を残している。
【００１０】
本発明は、分散剤を含有する原水の凝集沈殿による処理において、発生する汚泥の量を低減させることができる分散剤含有水の処理方法である。
【課題を解決するための手段】
【００１１】
本発明は、分散剤を含有する原水を凝集沈殿により処理する分散剤含有水の処理方法であって、前記分散剤は、カルボキシル基を有する少なくとも一つの構成単位を含み、前記原水のｐＨが４〜５の範囲であり、前記原水に無機凝結剤、有機凝結剤および高分子凝集剤を添加する分散剤含有水の処理方法である。
【００１２】
また、前記分散剤含有水の処理方法において、前記有機凝結剤が、縮合系ポリアミンおよびポリジアルキルジアリルアンモニウム塩のうち少なくとも１つであることが好ましい。
【００１４】
また、前記分散剤含有水の処理方法において、前記原水に凝集助剤として粘土鉱物を添加することが好ましい。
【発明の効果】
【００１５】
本発明では、分散剤含有原水の凝集沈殿による処理において、カルボキシル基を有する少なくとも一つの構成単位を含む分散剤を含有する原水に、少なくとも無機凝結剤を添加することにより、発生する汚泥の量を低減させることができる。
【発明を実施するための最良の形態】
【００１６】
本発明の実施の形態について以下説明する。本実施形態は本発明を実施する一例であって、本発明は本実施形態に限定されるものではない。
【００１７】
＜水処理装置および水処理方法＞
本実施形態に係る分散剤含有水の処理方法を実施するための水処理装置の一例の概略を図１に示し、その構成について説明する。水処理装置１は、ｐＨ調整槽１０、反応槽１２、凝集槽１４、凝集沈殿槽１６とを備える。
【００１８】
水処理装置１において、ｐＨ調整槽１０、反応槽１２、凝集槽１４、凝集沈殿槽１６の入口と出口とがそれぞれ直列に配管などを介して接続されている。ｐＨ調整槽１０、反応槽１２、凝集槽１４にはモータ、撹拌羽根などを備える撹拌手段である撹拌装置１８，２２，２４がそれぞれ設置されている。また、ｐＨ調整槽１０にはｐＨ測定手段であるｐＨメータ２０が設置されている。
【００１９】
まず分散剤を含有する分散剤含有原水（以下、単に「原水」と呼ぶ場合がある）は、原水槽などに一時的に貯留された後、ｐＨ調整槽１０に送液され、ｐＨ調整槽１０において、撹拌装置１８により撹拌され、ｐＨメータ２０によりｐＨが測定されながら、ｐＨ調整剤が添加されて所定の範囲にｐＨ調整が行われる（ｐＨ調整工程）。原水のｐＨが所定の範囲であれば、原水のｐＨ調整は行わなくてもよく、ｐＨ調整槽１０も不要である。その後、ｐＨ調整が行われたｐＨ調整液は、反応槽１２に送液される。
【００２０】
本実施形態において処理対象となる原水としては、分散剤を含有する水であれば良く特に制限はない。例えば、半導体工場、食品工場、紙・パルプ工場、化学工場などから排出される分散剤含有排水、逆浸透膜（ＲＯ膜）処理における濃縮水、冷却水系より排出されるブロー水などである。
【００２１】
原水に含まれる分散剤は、通常、懸濁粒子の安定化や、硬度スケール防止などの目的で使用されるものである。この分散剤としては、カルボキシル基を有する少なくとも一つの構成単位を含むものであればよく特に制限はないが、例えば、下記構造式（１）で表される単量体単位を含むポリアクリル酸系重合体、下記構造式（１）で表される単量体単位と下記構造式（２）で表される単量体単位とを含む共重合体であるアクリル酸系多元共重合体（（１）と（２）の共重合重量比率：例えば５０：５０〜９０：１０）、下記構造式（３）で表される単量体単位を含むポリマレイン酸系重合体などが挙げられる。
−（ＣＨ２−ＣＲ１ＣＯＯＸ）−          （１）
−（ＣＨ２−ＣＨＣＯＮＨＹ）−        （２）
−（ＣＲ２ＯＯＺ−ＣＲ３ＣＯＯＷ）−    （３）
（式（１）中、Ｒ１は、水素原子またはメチル基を表し、Ｘは水素原子、ナトリウムなどの１価または２価の金属原子、アンモニウム基または有機アンモニウム基を表す。式（２）中、Ｙはアルキルスルホン酸基またはその塩を表す。式（３）中、Ｒ２およびＲ３は、それぞれ独立して水素原子またはメチル基を表し、ＺおよびＷはそれぞれ独立して水素原子、１価または２価の金属原子、アンモニウム基または有機アンモニウム基を表す。）
【００２２】
これら分散剤の重量平均分子量は、例えば５００〜５０，０００の範囲である。
【００２３】
ｐＨ調整槽１０において、原水のｐＨはｐＨ３〜６の範囲に調整されることが好ましく、４〜５の範囲に調整されることがより好ましい。原水のｐＨを、通常の凝集処理におけるｐＨよりも低いｐＨ、好ましくは３〜６の範囲、より好ましくは４〜５の範囲に調整することで、分散剤が含むカルボキシル基をＣＯＯ−型からＣＯＯＨ型に変換させることにより、分散剤のイオン性を弱めることができる。分散剤のイオン性を弱めることにより、凝結剤の添加により生成するフロックや、粘土鉱物などの凝集助剤を添加した場合にはその粘土鉱物などに分散剤が吸着しやすくなり、分散剤を除去しやすくなると考えられる。
【００２４】
ｐＨ調整剤としては、塩酸、硫酸などの酸、または水酸化ナトリウム、水酸化カルシウムなどのアルカリが用いられる。
【００２５】
次に、反応槽１２において撹拌装置２２により急速撹拌されながらポンプなどによりｐＨ調整液へ無機凝結剤が添加、混合されて、凝結反応が行われる（凝結剤添加工程）。反応槽１２において急速撹拌されることにより、凝結反応が進行する。このとき、無機凝結剤の使用量を低減するために、有機凝結剤が併用されることが好ましい。その後、無機凝結剤が添加、混合された反応液は、凝集槽１４に送液される。
【００２６】
無機凝結剤としては、一般に凝結剤として用いられる鉄系またはアルミニウム系などの無機凝結剤を使用することができる。具体的には、硫酸バンド、ポリ塩化アルミニウム（ＰＡＣ）、塩化アルミニウム、ポリ硫酸第二鉄（ポリ鉄）、塩化第二鉄などおよびこれらの混合物などが挙げられる。
【００２７】
これら無機凝結剤の添加量は、処理対象の原水の性状などに応じて決めれば良く特に制限はないが、例えば、２０ｍｇ／Ｌ〜１０，０００ｍｇ／Ｌの範囲であり、有機凝結剤と併用する場合は、例えば、１０ｍｇ／Ｌ〜５，０００ｍｇ／Ｌの範囲である。
【００２８】
有機凝結剤としては、一般に凝結剤として用いられるジメチルアミン・エピクロロヒドリン縮合物などのアルキレンジアミンとエピクロロヒドリンとの縮合物などの縮合系ポリアミン、ポリジアリルジメチルアンモニウムクロライドなどのポリジアルキルジアリルアンモニウム塩などの有機凝結剤を使用することができる。
【００２９】
併用されてもよい有機凝結剤の添加量は、処理対象の原水の性状などに応じて決めれば良く特に制限はないが、例えば、０．１ｍｇ／Ｌ〜２，０００ｍｇ／Ｌの範囲である。
【００３０】
有機凝結剤と無機凝結剤は、使用に際してそれぞれ単独で、または混合物の形態で使用してもよいが、そうした有機凝結剤や無機凝結剤、それらの混合物を、あらかじめ水などの溶媒で希釈した溶液、懸濁液などの状態で使用してもよい。有機凝結剤と無機凝結剤とを併用する場合、有機凝結剤と無機凝結剤のｐＨ調整液への添加順序は特に問わない。
【００３１】
凝結剤添加工程において、無機凝結剤、有機凝結剤などの凝結剤の添加に先だって、あるいは凝結剤の添加とともに凝集助剤として粘土鉱物を添加することが好ましい。本発明者らは、分散剤の有する物理化学的吸着性能に着目し、意図的にｐＨ調整液に添加した粘土鉱物と分散剤とを吸着させることで、無機凝結剤などの薬品の使用量をさらに低減でき、発生する汚泥の量を低減させ、処理コストを著しく抑えることができることを見出した。
【００３２】
粘土鉱物としては、２０μｍ以下程度の粉体であればよく特に制限はないが、例えば、カオリン、ベントナイト、タルク、酸性白土、フライアッシュ、関東ロームなどが挙げられる。
【００３３】
併用されてもよい粘土鉱物の添加量は、処理対象の原水の性状などに応じて決めれば良く特に制限はないが、例えば、１０ｍｇ／Ｌ〜１，０００ｍｇ／Ｌの範囲である。処理対象の原水がＲＯ膜処理における濃縮水などのＳＳ成分が少ない原水（例えば、ＳＳが１００ｍｇ／Ｌ未満）である場合には、凝集助剤として粘土鉱物を添加することが好ましい。一方、原水がＳＳ成分が多い原水（例えば、ＳＳが１００ｍｇ／Ｌ以上）である場合には、必ずしも凝集助剤として粘土鉱物を添加しなくてもよい。
【００３４】
次に、凝集槽１４において、反応槽１２から送液された反応液に対して撹拌装置２４により緩速撹拌が行われながら、必要に応じて高分子凝集剤が添加、混合されて（高分子凝集剤添加工程）、凝集反応が行われ、フロックが形成される。フロックは、緩速撹拌されることにより成長する。
【００３５】
用いられる高分子凝集剤としては、公知のアニオン系、ノニオン系、カチオン系高分子凝集剤を挙げることができる。
【００３６】
アニオン系高分子凝集剤としては、ポリアクリルアミド部分加水分解物、アニオン性モノマの共重合体、アニオン性モノマとアクリルアミドなどのノニオン性モノマとの共重合体などが挙げられる。
【００３７】
アニオン性モノマとしては、アクリル酸、メタクリル酸、イタコン酸、マレイン酸、フマル酸、ビニルスルホン酸、アリルスルホン酸、メタクリルスルホン酸、スチレンスルホン酸、２−アリルアミドエタンスルホン酸、２−アクリルアミド−２−メチルプロパンスルホン酸、２−メタクリルアミドエタンスルホン酸、２−メタクリルアミド−２−メチルプロパンスルホン酸、２−アクリロイルオキシエタンスルホン酸、３−アクリロイルオキシプロパンスルホン酸、４−アクリロイルオキシブタンスルホン酸、２−メタクリロイルオキシエタンスルホン酸、３−メタクリロイルオキシプロパンスルホン酸、４−メタクリロイルオキシブタンスルホン酸など、およびこれらのアルカリ金属、アルカリ土類金属などの金属塩またはアンモニウム塩などが挙げられる。これらアニオン性モノマは単独で用いてもよく、２種以上を組合せて用いてもよい。
【００３８】
ノニオン性モノマとしては、アクリルアミド、メタクリルアミド、メタアクリロニトリル、酢酸ビニルなどが挙げられる。これらノニオン性モノマは、単独で用いてもよく、２種以上を組合せて用いてもよい。
【００３９】
共重合体として好ましいものは、アクリルアミド、アクリル酸塩共重合体、アクリルアミド・２−アクリルアミド−２−メチルプロパンスルホン酸共重合体である。
【００４０】
ノニオン系高分子凝集剤としては、上記のノニオン性モノマの重合体または共重合体であるが、好ましくはポリアクリルアミドである。
【００４１】
カチオン系高分子凝集剤としては、カチオン性モノマを必須成分として有するものであり、カチオン性モノマの共重合体またはカチオン性モノマと上記のノニオン性モノマとの共重合体などである。
【００４２】
カチオン性モノマとしては、ジメチルアミノエチルアクリレート、ジメチルアミノエチルメタクリレート、ジエチルアミノエチルアクリレート、ジエチルアミノエチルメタクリレートなどもしくはこれらの中和塩、４級塩などが挙げられる。また、分子内にアミジン単位を含有するカチオン系高分子凝集剤も使用可能である。
【００４３】
また、高分子凝集剤としては、カチオン性モノマ単位、アニオン性モノマ単位およびノニオン性モノマ単位を共重合したいわゆる両性高分子凝集剤も挙げることができる。
【００４４】
高分子凝集剤としてはアニオン系、ノニオン系、カチオン系いずれのものでもよいが、フロックの沈降性などの点でアニオン系またはノニオン系高分子凝集剤が好ましい。
【００４５】
高分子凝集剤は、１種を単独で使用することもできるが、２種以上を併用することもできる。高分子凝集剤の添加量は、処理対象の原水の性状などに応じて決めれば良く特に制限はないが、例えば、０．５ｍｇ／Ｌ〜１０ｍｇ／Ｌの範囲である。
【００４６】
これら高分子凝集剤の重量平均分子量は、例えば５００，０００〜３０，０００，０００の範囲である。
【００４７】
次に、凝集槽１４において高分子凝集剤が添加、混合された反応液は、凝集沈殿槽１６に送液される。凝集沈殿槽１６に送液された反応液は、自然沈降分離などによって、フロックが濃縮された沈殿物（汚泥）と分離水（処理水）とに分離される。
【００４８】
凝集沈殿槽１６において汚泥と分離された処理水は、次工程の生物処理工程などに送液され、その後、再利用あるいは河川などに放流される。一方、凝集沈殿槽１６において処理水と分離された汚泥は、さらに濃縮処理、脱水処理などが行われる。
【実施例】
【００４９】
以下、実施例および比較例を挙げ、本発明をより具体的に詳細に説明するが、本発明は、以下の実施例に限定されるものではない。
【００５０】
＜実施例１〜８、比較例６〜３２＞
被処理水として、表１に示す種類の分散剤１００ｍｇ／Ｌを含有し、表１に示すｐＨに調整した模擬排水（濁度０．０度）を用いて、下記に示すジャーテスタ方法による凝集沈殿試験を行った。ｐＨ調整には、塩酸（３５％塩酸１：水９（体積比））または水酸化ナトリウム（５％に調製）を用いた。まず、粘土鉱物としてカオリンを２００ｍｇ／Ｌ添加、混合し、次に表１に示す種類の有機凝結剤、無機凝結剤を所定の有効濃度、添加濃度で被処理水に添加、混合した。さらに、高分子凝集剤を１ｍｇ／Ｌ添加、混合した。分散剤は下記のＡＡ／ＡＭＰＳまたはＰＡＡ、有機凝結剤は下記の（Ａ）または（Ｂ）、高分子凝集剤は下記のアニオン系のアクリル酸／アクリルアミド共重合体を使用した。なお、試験に際して有機凝結剤は２％（ｗ／ｖ）になるように、高分子凝集剤は０．１％（ｗ／ｖ）になるようにそれぞれ純水で溶解した溶液を用いた。無機凝結剤は水溶液の状態で使用した。ジャーテスタによる凝集沈殿試験結果を表１に示す。
【００５１】
（分散剤）
アクリル酸系二元共重合体（ＡＡ／ＡＭＰＳ）  １００ｍｇ／ＬのＴＯＣ：１６．４ｍｇ／Ｌ
ポリアクリル酸（ＰＡＡ）  １００ｍｇ／ＬのＴＯＣ：１６．９ｍｇ／Ｌ
アクリル酸系二元共重合体は下記構造式（１）の単量体単位と下記構造式（２）の単量体単位（重量比率６０：４０）からなる水溶性共重合体、ポリアクリル酸は下記構造式（１）で表される単量体単位からなる水溶性単独重合体である。
−（ＣＨ２−ＣＨＣＯＯＸ）−          （１）
−（ＣＨ２−ＣＨＣＯＮＨＹ）−        （２）
（式（１）中、Ｘは水素原子、１価または２価の金属原子を表す。式（２）中、Ｙはアルキルスルホン酸基またはその塩を表す。）
【００５２】
（有機凝結剤）
（Ａ）ジメチルアミン・エピクロロヒドリン縮合物（重量平均分子量Ｍｗ＝４０，０００）
（Ｂ）ポリジメチルジアリルアンモニウム塩（重量平均分子量Ｍｗ＝３００，０００）
【００５３】
（無機凝結剤）
ＰＡＣ（ポリ塩化アルミニウム）
塩化第二鉄
【００５４】
（高分子凝集剤）
アクリル酸／アクリルアミド共重合体（アニオンコロイド当量値  −１．０ｍｅｑ／ｇ、塩粘度１５０ｍＰａ・ｓ）
【００５５】
（ジャーテスタ方法）
（１）表１に示すｐＨに調整した模擬排水を５００ｍＬビーカに分取する。
（２）粘土鉱物としてカオリンを２００ｍｇ／Ｌ添加し、１５０ｒｐｍで６０秒間撹拌する。
（３）無機凝結剤、あるいは無機凝結剤および有機凝結剤を所定量添加し、１５０ｒｐｍで６０秒間撹拌する。
（４）高分子凝集剤を１ｍｇ／Ｌ添加し、１５０ｒｐｍで６０秒間撹拌し、４０ｒｐｍで６０秒間緩速撹拌する。
（５）５分間静置後、上済み液のフロック径、濁度、ＴＯＣを測定する（ＴＯＣは上澄み液を０．４５μｍのフィルタでろ過した後に測定する）。
【００５６】
なお、フロック径は、目視により測定した。濁度測定には、測定原理として積分球式光電光度法である、日本電色工業（株）社製、「Ｗａｔｅｒ  Ａｎａｌｙｚｅｒ  ２０００Ｎ」を用いた。濁度は、ＪＩＳ規格ＪＩＳ  Ｋ０１０１：９．４「積分球濁度」に基づき測定した。ＴＯＣは、ＪＩＳ規格ＪＩＳ  Ｋ０１０２：２２．１「燃焼酸化−赤外線式ＴＯＣ分析法」に基づき測定した。
【００５７】
【表１】
0005364298.tif 000002
【００５８】
表１より、ｐＨ４〜５でＴＯＣと濁度が共に最も低く、またフロック径は大きくなり、分散剤を処理するのに最適なｐＨであることがわかる。実施例１〜４と比較例１３，１４との比較より、無機凝結剤に加えて有機凝結剤を添加することにより、ＴＯＣ（分散剤）除去性能が向上し、フロック径も大きくなることがわかる。
【００５９】
＜比較例１〜５＞
上記「ジャーテスタ方法」において、分散剤として下記のＨＤＰ（１−ヒドロキシエチリデン−１，１−ジホスホン酸）を添加したこと以外は、実施例１〜８、比較例６〜３２と同様にしてそれぞれ凝集沈殿処理を行った。結果を表２に示す。なお、全りん濃度は、ＪＩＳ規格ＪＩＳ  Ｋ０１０２：４６．３．１「ペルオキソ二硫酸カリウム分解法」に基づき測定した。
【００６０】
（分散剤）
１−ヒドロキシエチリデン−１，１−ジホスホン酸（ＨＤＰ）  １００ｍｇ／Ｌの全りん：１６．０ｍｇ／Ｌ
【００６１】
【表２】
0005364298.tif 000003
【００６２】
比較例１〜５より、ＨＤＰのようにカルボキシル基を有さない分散剤の場合は、排水のｐＨが４〜５であっても全りん濃度、濁度が低下せず、分散剤を十分に処理できないことがわかる。
【００６３】
＜実施例９，１０、比較例３３〜３５＞
上記「ジャーテスタ方法」において、カオリンを添加しなかった以外は、実施例１〜８、比較例６〜３２と同様にしてそれぞれ凝集沈殿処理を行った。結果を表３に示す。
【００６４】
【表３】
0005364298.tif 000004
【００６５】
実施例９，１０より、カオリンを添加しなくても、ｐＨ４〜５でＴＯＣと濁度が共に最も低く、分散剤を処理するのに最適なｐＨであることがわかる。また、実施例１，２と実施例９，１０とを比較することにより、粘土鉱物としてカオリンを添加した方が、ＴＯＣ（分散剤）除去性能が向上し、フロック径も大きくなることがわかる。
【００６６】
＜実施例１１，１２＞
上記「ジャーテスタ方法」において、（３）の有機凝結剤、無機凝結剤の添加後に水酸化ナトリウム（５％に調製）を用いてｐＨを７に調整し、１５０ｒｐｍで６０秒間撹拌した以外は、実施例１〜８、比較例６〜３２と同様にしてそれぞれ凝集沈殿処理を行った。結果を表４に示す。
【００６７】
【表４】
0005364298.tif 000005
【００６８】
実施例１，２と実施例１１，１２とを比較することにより、無機凝結剤、有機凝結剤を添加した後にｐＨ調整をしない実施例１，２の方が、処理性能が優れていることがわかる。通常の凝集沈殿処理では必要となる水酸化ナトリウムなどの中和剤による中和処理が、本処理方法では不要となる。
【００６９】
＜実施例１３，１４、比較例３６，３７＞
被処理水として、分散剤を含有する逆浸透膜装置の濃縮水を用いて、表５の通りにｐＨを水酸化ナトリウム（５％に調製）を用いて調製し（比較例３６，３７のみ）、カオリン、有機凝結剤、無機凝結剤、高分子凝集剤を使用して、上記のジャーテスタ方法による凝集沈殿試験を行った結果を表５に示す。この逆浸透膜装置の濃縮水のｐＨは５．０、ＴＯＣは８．２ｍｇ／Ｌであった。
【００７０】
実施例１３と比較例３６との比較により、ｐＨ未調整の実施例１３の方が、ｐＨ調整した比較例３６よりも処理性能が優れていることがわかる。また、実施例１３と実施例１４との比較により、カオリンを添加した方が、処理性能が優れていることがわかる。
【００７１】
【表５】
0005364298.tif 000006
【図面の簡単な説明】
【００７２】
【図１】本発明の実施形態に係る水処理装置の一例を示す概略構成図である。
【符号の説明】
【００７３】
１  水処理装置、１０  ｐＨ調整槽、１２  反応槽、１４  凝集槽、１６  凝集沈殿槽、１８，２２，２４  撹拌装置、２０  ｐＨメータ。
【図１】
0005364298.tif 000007